(57)【要約】【課題】自発光表示パネルをフレームに取り付けた場合に、画面の周縁部で光漏れが生じるのを防止する。【解決手段】本発明の自発光表示装置は、自発光表示パネルＤＰと、自発光表示パネルＤＰの背面側に配置された背面フレームＦＲと、自発光表示パネルＤＰの前面側に配置されると共に自発光表示パネルＤＰの表示領域に対応した位置に開口が設けられた前面フレームＢＺＬとを具備し、背面フレームＦＲは黒色であることを特徴とする。【選択図】      図１
2007093704.tif 000002
【特許請求の範囲】
【請求項１】
自発光表示パネルと、
前記自発光表示パネルの背面と向き合った背面板と、前記自発光表示パネルの端面と向き合うと共に前記背面板の周縁部に支持された背面側壁板とを含んだ背面フレームと、
前記自発光表示パネルの前面と向き合うと共に前記自発光表示パネルの表示領域に対応した位置に開口が設けられた前面板と、前記背面側壁板を挟んで前記自発光表示パネルの前記端面と向き合うと共に前記前面板の外側周縁部に支持された前面側壁板とを含んだ前面フレームとを具備し、
前記背面側壁板の前記自発光表示パネルとの対向面は黒色であることを特徴とする自発光表示装置。
【請求項２】
自発光表示パネルと、
前記自発光表示パネルの背面と向き合った背面板と、前記自発光表示パネルの端面と向き合うと共に前記背面板の周縁部に支持された背面側壁板とを含んだ背面フレームと、
前記自発光表示パネルの前面と向き合うと共に前記自発光表示パネルの表示領域に対応した位置に開口が設けられた前面板と、前記背面側壁板を挟んで前記自発光表示パネルの前記端面と向き合うと共に前記前面板の外側周縁部に支持された前面側壁板とを含んだ前面フレームとを具備し、
前記背面側壁板の前記自発光表示パネルとの対向面は、前記自発光表示パネルが前記端面から放出する光に対する反射率が１０％以下であることを特徴とする自発光表示装置。
【請求項３】
自発光表示パネルと、
前記自発光表示パネルの背面側に配置された背面フレームと、
前記自発光表示パネルの前面側に配置されると共に前記自発光表示パネルの表示領域に対応した位置に開口が設けられた前面フレームとを具備し、
前記背面フレームは黒色であることを特徴とする自発光表示装置。
【請求項４】
自発光表示パネルと、
前記自発光表示パネルの背面側に配置された背面フレームと、
前記自発光表示パネルの前面側に配置されると共に前記自発光表示パネルの表示領域に対応した位置に開口が設けられた前面フレームとを具備し、
前記背面フレームは、前記自発光表示パネルがその端面から放出する光に対する反射率が１０％以下であることを特徴とする自発光表示装置。
【請求項５】
前記自発光表示パネルは下面発光型であることを特徴とする請求項１乃至４の何れか１項に記載の自発光表示装置。
【発明の詳細な説明】
【技術分野】
【０００１】
本発明は、有機ＥＬ（エレクトロルミネッセンス）表示装置等の自発光表示装置に関する。
【背景技術】
【０００２】
一般的な液晶表示装置は、液晶表示パネルをフレームに取り付けた構造を採用している。この構造を採用すると、画質に悪影響を及ぼすことなく、液晶表示パネルの機械的損傷からの保護や取り扱い易さの向上などが可能となる。したがって、有機ＥＬ表示装置等の自発光表示装置についても、同様のフレームを使用することが考えられる。しかしながら、本発明者は、本発明を為すに際し、自発光表示装置で上記の構造を採用した場合、画面の周縁部で光漏れが生じる可能性があることを見い出している。
【発明の開示】
【発明が解決しようとする課題】
【０００３】
本発明の目的は、自発光表示パネルをフレームに取り付けた場合に、画面の周縁部で光漏れが生じるのを防止することにある。
【課題を解決するための手段】
【０００４】
本発明の第１側面によると、自発光表示パネルと、前記自発光表示パネルの背面と向き合った背面板と、前記自発光表示パネルの端面と向き合うと共に前記背面板の周縁部に支持された背面側壁板とを含んだ背面フレームと、前記自発光表示パネルの前面と向き合うと共に前記自発光表示パネルの表示領域に対応した位置に開口が設けられた前面板と、前記背面側壁板を挟んで前記自発光表示パネルの前記端面と向き合うと共に前記前面板の外側周縁部に支持された前面側壁板とを含んだ前面フレームとを具備し、前記背面側壁板の前記自発光表示パネルとの対向面は黒色であることを特徴とする自発光表示装置が提供される。
【０００５】
本発明の第２側面によると、自発光表示パネルと、前記自発光表示パネルの背面と向き合った背面板と、前記自発光表示パネルの端面と向き合うと共に前記背面板の周縁部に支持された背面側壁板とを含んだ背面フレームと、前記自発光表示パネルの前面と向き合うと共に前記自発光表示パネルの表示領域に対応した位置に開口が設けられた前面板と、前記背面側壁板を挟んで前記自発光表示パネルの前記端面と向き合うと共に前記前面板の外側周縁部に支持された前面側壁板とを含んだ前面フレームとを具備し、前記背面側壁板の前記自発光表示パネルとの対向面は、前記自発光表示パネルが前記端面から放出する光に対する反射率が１０％以下であることを特徴とする自発光表示装置が提供される。
【０００６】
本発明の第３側面によると、自発光表示パネルと、前記自発光表示パネルの背面側に配置された背面フレームと、前記自発光表示パネルの前面側に配置されると共に前記自発光表示パネルの表示領域に対応した位置に開口が設けられた前面フレームとを具備し、前記背面フレームは黒色であることを特徴とする自発光表示装置が提供される。
【０００７】
本発明の第４側面によると、自発光表示パネルと、前記自発光表示パネルの背面側に配置された背面フレームと、前記自発光表示パネルの前面側に配置されると共に前記自発光表示パネルの表示領域に対応した位置に開口が設けられた前面フレームとを具備し、前記背面フレームは、前記自発光表示パネルがその端面から放出する光に対する反射率が１０％以下であることを特徴とする自発光表示装置が提供される。
【発明の効果】
【０００８】
本発明によると、自発光表示パネルをフレームに取り付けた場合に、画面の周縁部で光漏れが生じるのを防止可能となる。
【発明を実施するための最良の形態】
【０００９】
以下、本発明の態様について、図面を参照しながら詳細に説明する。なお、各図において、同様又は類似した機能を発揮する構成要素には同一の参照符号を付し、重複する説明は省略する。
【００１０】
図１は、本発明の一態様に係る自発光表示装置として、有機ＥＬ表示装置を概略的に示す斜視図である。図２は、図１の有機ＥＬ表示装置を分解して描いた斜視図である。図３は、図１の有機ＥＬ表示装置で使用可能な有機ＥＬ表示パネルの一例を概略的に示す断面図である。図４は、図１に示す有機ＥＬ表示装置のＩＶ−ＩＶ線に沿った断面図である。なお、図１乃至図４において、Ｘ方向及びＹ方向は有機ＥＬ表示パネルの主面に平行であり且つ互いに直交する方向であり、Ｚ方向はＸ方向及びＹ方向と直交する方向である。
【００１１】
この有機ＥＬ表示装置は、図１、図２及び図４に示すように、有機ＥＬ表示パネルＤＰと、背面フレームＦＲと、前面フレーム（ベゼル）ＢＺＬとを含んでいる。
【００１２】
有機ＥＬ表示パネルＤＰは、この例では、アクティブマトリクス型駆動方式を採用した下面発光型の有機ＥＬ表示パネルである。この有機ＥＬ表示パネルＤＰは、図３及び図４に示すように、アレイ基板ＡＳと、これと向き合った封止基板ＣＳと、それらの対向面周縁部間に介在したシール層ＡＤとを含んでいる。
【００１３】
アレイ基板ＡＳは、図３に示すように、例えば、ガラス基板などの光透過性を有する絶縁基板ＳＵＢを含んでいる。
【００１４】
基板ＳＵＢ上には、アンダーコート層ＵＣとして、例えば、ＳｉＮx層とＳｉＯx層とが順次積層されている。アンダーコート層ＵＣ上には、例えばチャネル及びソース・ドレインが形成されたポリシリコン層である半導体層ＳＣ、例えばＴＥＯＳ（TetraEthyl OrthoSilicate）などを用いて形成され得るゲート絶縁膜ＧＩ、及び例えばＭｏＷなどからなるゲート電極Ｇが順次積層されており、それらはトップゲート型のＴＦＴを構成している。この例では、これらＴＦＴは、ｐチャネルＴＦＴであり、画素が含む駆動制御素子（図示せず）、出力制御スイッチＳＷ１、映像信号供給制御スイッチ（図示せず）、及びダイオード接続スイッチ（図示せず）として利用している。
【００１５】
ゲート絶縁膜ＧＩ上には、ゲート電極Ｇと同一の工程で形成可能な第１及び第２走査信号線（図示せず）がさらに配置されている。第１及び第２走査信号線は、各々が画素の行方向，例えばＸ方向，に延びており、画素の列方向，例えばＹ方向，に交互に配列している。これら第１及び第２走査信号線は、走査信号線ドライバ（図示せず）に接続されている。
【００１６】
ゲート絶縁膜ＧＩ、ゲート電極Ｇ、並びに第１及び第２走査信号線は、例えばプラズマＣＶＤ法などにより成膜されたＳｉＯxなどからなる層間絶縁膜ＩＩで被覆されている。層間絶縁膜ＩＩ上にはソース電極ＳＥ及びドレイン電極ＤＥが配置されており、それらは、例えばＳｉＮxなどからなるパッシベーション膜ＰＳで埋め込まれている。ソース電極ＳＥ及びドレイン電極ＤＥは、例えば、Ｍｏ／Ａｌ／Ｍｏの三層構造を有しており、層間絶縁膜ＩＩに設けられたコンタクトホールを介してＴＦＴのソース及びドレインに電気的に接続されている。
【００１７】
層間絶縁膜ＩＩ上には、ソース電極ＳＥ及びドレイン電極ＤＥと同一の工程で形成可能な映像信号線（図示せず）がさらに配置されている。映像信号線は、各々がＹ方向に延びており、Ｘ方向に配列している。これら映像信号線は、映像信号線ドライバ（図示せず）に接続されている。なお、典型的には、第１及び第２走査信号線が配置された層間か、又は、映像信号線が配置された層間に、駆動制御素子のソースを接続する電源線を敷設する。
【００１８】
パッシベーション膜ＰＳ上には、前面電極として、光透過性の第１電極ＰＥが互いから離間して並置されている。各第１電極ＰＥは、画素電極であり、パッシベーション膜ＰＳに設けた貫通孔を介して、スイッチＳＷ１のドレイン電極ＤＥに接続されている。
【００１９】
第１電極ＰＥは、この例では陽極である。第１電極ＰＥの材料としては、例えば、ＩＴＯ（Indium Tin Oxide）のような透明導電性酸化物を使用することができる。
【００２０】
パッシベーション膜ＰＳ上には、さらに、隔壁絶縁層ＰＩが配置されている。隔壁絶縁層ＰＩには、第１電極ＰＥに対応した位置に貫通孔が設けられているか、或いは、第１電極ＰＥが形成する列又は行に対応した位置にスリットが設けられている。ここでは、一例として、隔壁絶縁層ＰＩには、第１電極ＰＥに対応した位置に貫通孔が設けられていることとする。
【００２１】
隔壁絶縁層ＰＩは、例えば、有機絶縁層である。隔壁絶縁層ＰＩは、例えば、フォトリソグラフィ技術を用いて形成することができる。
【００２２】
第１電極ＰＥ上には、発光層を含んだ有機物層ＯＲＧが配置されている。発光層は、例えば、発光色が赤色、緑色、又は青色のルミネセンス性有機化合物を含んだ薄膜である。この有機物層ＯＲＧは、発光層に加え、正孔注入層、正孔注入層、正孔ブロッキング層、電子輸送層、電子注入層などもさらに含むことができる。
【００２３】
隔壁絶縁層ＰＩ及び有機物層ＯＲＧは、背面電極である第２電極ＣＥで被覆されている。第２電極ＣＥは、画素間で互いに接続された共通電極であり、この例では光反射性の陰極である。第２電極ＣＥは、例えば、パッシベーション膜ＰＳと隔壁絶縁層ＰＩとに設けられたコンタクトホールを介して、映像信号線と同一の層上に形成された電極配線（図示せず）に電気的に接続されている。各々の有機ＥＬ素子ＯＬＥＤは、第１電極ＰＥ、有機物層ＯＲＧ及び第２電極ＣＥで構成されている。
【００２４】
各画素は、有機ＥＬ素子ＯＬＥＤと画素回路とを含んでいる。この例では、画素回路は、駆動制御素子と、出力制御スイッチＳＷ１と、映像信号供給制御スイッチと、ダイオード接続スイッチと、キャパシタとを含んでいる。上記の通り、この例では、駆動制御素子、出力制御スイッチＳＷ１、映像信号供給制御スイッチ、及びダイオード接続スイッチは、ｐチャネルＴＦＴである。
【００２５】
駆動制御素子と出力制御スイッチＳＷ１と有機ＥＬ素子ＯＬＥＤとは、第１及び第２電源端子間で、この順に直列に接続されている。この例では、第１電源端子は高電位電源端子であり、第２電源端子は低電位電源端子である。
【００２６】
出力制御スイッチＳＷ１のゲートは、第１走査信号線に接続されている。映像信号供給制御スイッチは映像信号線と駆動制御素子のドレインとの間に接続されており、そのゲートは第２走査信号線に接続されている。ダイオード接続スイッチは駆動制御素子のドレインとゲートとの間に接続されており、そのゲートは第２走査信号線に接続されている。キャパシタは、駆動制御素子のゲートと定電位端子との間に接続されている。
【００２７】
封止基板ＣＳは、第２電極ＣＥと向き合うように配置されている。封止基板ＣＳとしては、例えば、ガラス基板などの絶縁基板を使用する。
【００２８】
シール層ＡＤは、アレイ基板ＡＳ及び封止基板ＣＳの対向面周縁部間に介在しており、枠形状を有している。シール層ＡＤの材料としては、例えば、接着剤やフリットガラスなどを使用することができる。
【００２９】
シール層ＡＤは、封止基板ＣＳをアレイ基板ＡＳに結合させる役割を果たすのに加え、封止基板ＣＳと共に有機ＥＬ素子ＯＬＥＤを密閉する役割を果たしている。アレイ基板ＡＳと封止基板ＣＳとシール層ＡＤとに囲まれた空間は、真空とするか又は不活性ガスなどを充填する。
【００３０】
この有機ＥＬ表示パネルＤＰでは、例えば、第１及び第２走査信号線の各々を線順次駆動する。そして、或る画素に映像信号を書き込む書込期間では、まず、走査信号線ドライバから、先の画素が接続された第１走査信号線に出力制御スイッチＳＷ１を開く走査信号を電圧信号として出力し、続いて、先の画素が接続された第２走査信号線に映像信号供給制御スイッチ及びダイオード接続スイッチを閉じる走査信号を電圧信号として出力する。この状態で、映像信号線ドライバから、先の画素が接続された映像信号線に映像信号を電流信号として出力し、駆動制御素子のゲート−ソース間電圧を、先の映像信号に対応した大きさに設定する。その後、走査信号線ドライバから、先の画素が接続された第２走査信号線に映像信号供給制御スイッチ及びダイオード接続スイッチを開く走査信号を電圧信号として出力し、続いて、先の画素が接続された第１走査信号線に出力制御スイッチＳＷ１を閉じる走査信号を電圧信号として出力する。
【００３１】
出力制御スイッチＳＷ１を閉じている有効表示期間では、有機ＥＬ素子ＯＬＥＤには、駆動制御素子のゲート−ソース間電圧に対応した大きさの駆動電流が流れる。有機ＥＬ素子ＯＬＥＤは、駆動電流の大きさに対応した輝度で発光する。
【００３２】
なお、この例では、封止基板ＣＳ及びシール層ＡＤを用いた中空封止を行っているが、その代わりに、薄膜封止を行ってもよい。また、ここでは、有機ＥＬ表示パネルＤＰを下面発光型としているが、有機ＥＬ表示パネルＤＰは上面発光型であってもよい。
【００３３】
背面フレームＦＲは、図２及び図４に示すように、有機ＥＬ表示パネルＤＰの背面と向き合った背面板を含んでいる。さらに、背面フレームＦＲは、有機ＥＬ表示パネルＤＰの端面と向き合うと共に背面板の周縁部に支持された側壁板（以下、背面側壁板という）を含んでいる。背面側壁板は、少なくとも部分的に、有機ＥＬ表示パネルＤＰの端面から離間している。背面フレームＦＲの材料としては、例えば、樹脂などを使用することができる。
【００３４】
背面フレームＦＲは、例えば、嵌め合いを利用して、有機ＥＬ表示パネルＤＰが背面フレームＦＲに対してＸ方向及びＹ方向へ相対的に移動するのを防止する構造を含んでいる。或いは、背面フレームＦＲは、係合を利用して、有機ＥＬ表示パネルＤＰが背面フレームＦＲに対してＸ方向、Ｙ方向及びＺ方向へ相対的に移動するのを防止する構造を含んでいる。
【００３５】
この例では、背面フレームＦＲの軽量化などを目的として、背面板に開口部を設けている。この開口部は、設けなくてもよい。
【００３６】
この背面フレームＦＲは、有機ＥＬ表示パネルＤＰがその端面から放出する光に対する反射率が小さい。背面フレームＦＲの先の光に対する反射率は例えば１０％以下であり、典型的には、背面フレームＦＲは黒色である。なお、このような特徴は、背面側壁板の有機ＥＬ表示パネルＤＰとの対向面のみが有していればよい。
【００３７】
前面フレームＢＺＬは、図１、図２及び図４に示すように、有機ＥＬ表示パネルＤＰの前面と向き合った前面板を含んでいる。この前面板には、有機ＥＬ表示パネルＤＰの表示領域に対応した位置に開口が設けられている。前面板は、少なくとも部分的に、有機ＥＬ表示パネルＤＰの前面から離間している。さらに、前面フレームＢＺＬは、背面フレームＦＲの背面側壁板を挟んで有機ＥＬ表示パネルＤＰの端面と向き合うと共に前面板の外側周縁部に支持された側壁板（以下、前面側壁板という）を含んでいる。前面フレームＢＺＬの材料としては、例えば、金属又は合金などを使用することができる。
【００３８】
前面フレームＢＺＬは、背面フレームＦＲと嵌め合うように設計されている。前面フレームＢＺＬと背面フレームＦＲとは、例えば、係合や螺合などを利用して、互いに結合している。前面フレームＢＺＬは、有機ＥＬ表示パネルＤＰが背面フレームＦＲに対してＺ方向へ相対的に移動するのを防止する構造を含むことができる。
【００３９】
さて、上記の通り、有機ＥＬ表示パネルＤＰを液晶表示装置で使用しているのと同様のフレームに取り付けると、画面の周縁部で光漏れが生じる。本発明者は、この理由について詳細に調べた結果、以下の事実を見出した。
【００４０】
図５は、比較例に係る有機ＥＬ表示装置を概略的に示す断面図である。この有機ＥＬ表示装置は、背面フレームＦＲが白色であること以外は、図１及び図４の有機ＥＬ表示装置と同様の構造を有している。
【００４１】
図３の有機ＥＬ表示パネルＤＰでは、有機ＥＬ素子ＯＬＥＤが放出した光の一部は、基板ＳＵＢと外界との界面で全反射される。そのため、一部の光は、アレイ基板ＡＳ内で全反射及び反射を繰り返しながら面内方向に伝播する。その結果、有機ＥＬ表示パネルＤＰの端面から光漏れを生じる。
【００４２】
図５の有機ＥＬ表示装置では、背面フレームＦＲは白色である。そのため、有機ＥＬ表示パネルＤＰの端面から漏れた光は、矢印で示すように、背面フレームＦＲの背面側壁板、前面フレームＢＺＬの前面板、及び液晶表示パネルＤＰの前面で反射される。このような理由で、画面の周縁部で光漏れが生じていたのである。
【００４３】
なお、液晶表示装置では、一般に、液晶表示パネルをその背面側から照明する。通常、光源であるバックライトと液晶表示パネルとの間には、空気の層が存在している。それゆえ、アレイ基板及び対向基板の何れにおいても、光がガラス基板と外界との界面で全反射を生じることはない。したがって、液晶表示装置では、液晶表示パネルの端面から光が漏れることはなく、先の理由で画面の周縁部で光漏れが起こることはない。また、背面フレームに使用する主原料は白色である。そのため、液晶表示装置では、白色の背面フレームを使用している。
【００４４】
本態様に係る有機ＥＬ表示装置では、上記の通り、背面フレームＦＲの反射率が小さい。そのため、図４に矢印で示すように、有機ＥＬ表示パネルＤＰの端面から漏れた光の多くは背面フレームＦＲによって吸収される。したがって、本態様によると、画面の周縁部で光漏れが生じるのを十分に抑制することができる。
【００４５】
なお、上述の態様では自発光表示装置として有機ＥＬ表示装置を例に説明したが、本発明は、これに限定されず、自発光型の表示素子を含む自発光表示装置全般に適用することができる。
【図面の簡単な説明】
【００４６】
【図１】本発明の一態様に係る自発光表示装置を概略的に示す斜視図。
【図２】図１の表示装置を分解して描いた斜視図。
【図３】図１の表示装置で使用可能な表示パネルの一例を概略的に示す断面図。
【図４】図１に示す表示装置のＩＶ−ＩＶ線に沿った断面図。
【図５】比較例に係る表示装置を概略的に示す断面図。
【符号の説明】
【００４７】
ＡＤ…シール層、ＡＳ…アレイ基板、ＢＺＬ…前面フレーム、ＣＥ…第２電極、ＣＳ…封止基板、ＤＥ…ドレイン電極、ＤＰ…有機ＥＬ表示パネル、ＦＲ…背面フレーム、Ｇ…ゲート電極、ＧＩ…ゲート絶縁膜、ＩＩ…層間絶縁膜、ＯＬＥＤ…有機ＥＬ素子、ＯＲＧ…有機物層、ＰＥ…第１電極、ＰＩ…隔壁絶縁層、ＰＳ…パッシベーション膜、ＳＣ…半導体層、ＳＥ…ソース電極、ＳＵＢ…絶縁基板、ＳＷ１…出力制御スイッチ、ＵＣ…アンダーコート層。
【図１】
2007093704.tif 000003
【図２】
2007093704.tif 000004
【図３】
2007093704.tif 000005
【図４】
2007093704.tif 000006
【図５】
2007093704.tif 000007